(57)【特許請求の範囲】
【請求項１】
両端が開放端である筒状のマイクロホンケースと、
前記マイクロホンケースに収容されていて光を発する光源と、
前記光源が載置されている光源搭載基板と、
突起形状を有し光透過性の材料で形成されている導光部材と、
前記光源の位置と前記導光部材の位置とを保持して前記光源搭載基板とともに前記マイクロホンケースに固定される保持部材と、
を有し、
前記保持部材は、前記突起形状を受容可能な形状の孔を有しているマイクロホン。
【請求項２】
前記保持部材に固定されて前記マイクロホンケースに取り付けられるボディを有し、
前記保持部材は、前記ボディとの接合部に雌ねじ部を有していて、
前記ボディは、前記保持部材との接合部に雄ねじ部を有している、
請求項１記載のマイクロホン。
【請求項３】
前記導光部材は、
前記突起形状に設けられていて前記光源からの前記光が入射される入射面と、
前記光を前記マイクロホンケースの側面方向に反射する反射面と、
前記反射面からの前記光を出射する出射面と、
を備えている、
請求項２記載のマイクロホン。
【請求項４】
前記ボディは、前記導光部材の位置を保持している、
請求項２または３記載のマイクロホン。
【請求項５】
前記導光部材は、略筒状の外形を有している、
請求項３乃至４のいずれかに記載のマイクロホン。
【請求項６】
前記反射面は、略円錐形状を有している、
請求項３記載のマイクロホン。
【発明の詳細な説明】
【技術分野】
【０００１】
本発明は、マイクロホンに関するものである。
【背景技術】
【０００２】
会議や演説等で使用されるグースネックマイクロホンには、話者を特定するため、動作中のマイクロホンを目視で特定したいという需要者からの要求がある。このような要求に対して、ＬＥＤ（Light Emitting Diode）などの光源を有する発光部により動作状態を視認可能にしたマイクロホンが知られている。
【０００３】
広い範囲で動作状態を視認できるようにするため、広い視認角度を備えた発光部が求められる。このため、筒状のマイクロホンケースの側面の全周にわたってリング状に発光して見える発光部が望ましい。発光部をマイクロホンケースの側面の全周にわたって発光させるためには、光源の数を多くすることが考えられる。しかし、発光部の光源の数を多くすることは、コストや消費電力の増加を招くため、望ましくない。
【０００４】
なお、動作状態を視認可能にするための発光部を有するマイクロホンに関する技術が開示されている（例えば、特許文献１参照）。
【先行技術文献】
【特許文献】
【０００５】
【特許文献１】特開２０１５−７０４６５号公報
【発明の概要】
【発明が解決しようとする課題】
【０００６】
図１４に示すように、例えば従来のマイクロホン１００では、光源１３２は、光が主にフレキシブルパイプ１０７の方向に向かうように光源搭載基板１３１に搭載されている。マイクロホン１００では、光源１３２からレンズ１０５に到達する光量が少ないため、光の利用効率が低い。このため、マイクロホン１００では、マイクロホンケース１０１の側面方向から見てレンズ１０５越しの光が均一には見えず、視認性が悪い。また、マイクロホン１００では、光の利用効率が低いため、光源の消費電力が大きくなる。このため、マイクロホン１００では、マイクロホンユニット１０９や駆動回路１０２で用いられる駆動用電源の他に、光源用の電源が必要となってしまう。
【０００７】
本発明は、動作状態を視認しやすいマイクロホンを提供することを目的とする。
【課題を解決するための手段】
【０００８】
本発明は、両端が開放端である筒状のマイクロホンケースと、マイクロホンケースに収容されていて光を発する光源と、光源が載置されている光源搭載基板と、突起形状を有し光透過性の材料で形成されている導光部材と、光源の位置と導光部材の位置とを保持して光源搭載基板とともにマイクロホンケースに固定される保持部材と、を有し、保持部材は、突起形状を受容可能な形状の孔を有していることを特徴としている。
【発明の効果】
【０００９】
本発明によれば、動作状態を視認しやすい。
【図面の簡単な説明】
【００１０】
【図１】本発明に係るマイクロホンの実施の形態を示す分解斜視図である。
【図２】上記マイクロホンの側断面図である。
【図３】上記マイクロホンのマイクロホンケースとその周辺の拡大側断面図である。
【図４】上記マイクロホンの導光部材の側面図である。
【図５】上記導光部材の正面図である。
【図６】上記導光部材のＡ−Ａ断面図である。
【図７】上記マイクロホンの保持部の側面図である。
【図８】上記保持部の正面図である。
【図９】上記保持部のＡ−Ａ断面図である。
【図１０】上記マイクロホンのボディの側面図である。
【図１１】上記ボディの側断面図である。
【図１２】本発明に係るマイクロホンの別の実施の形態の導光部材を示す側断面図である。
【図１３】上記導光部材の分解断面図である。
【図１４】従来のマイクロホンを示す側断面図である。
【発明を実施するための形態】
【００１１】
以下、本発明に係るマイクロホンの実施の形態について、図面を参照しながら説明する。
【００１２】
●マイクロホンの構成
図１に示すように、本発明の実施の形態に係るマイクロホン１０は、会議や演説等で使用されるグースネックマイクロホンである。マイクロホン１０は、マイクロホンケース１と、回路基板２と、光源搭載基板３と、保持部材４と、導光部材５と、ボディ６と、フレキシブルパイプ７と、ベース８とを有する。
【００１３】
図２に示すように、マイクロホンケース１は、例えば金属製の空洞部を有する筒状、具体的には円筒状の筐体である。以下の説明において、マイクロホンケース１の前方（図２の紙面左方向）の端を一端、マイクロホンケース１の後方（図２の紙面右方向）の開放端を他端という。マイクロホンケース１には、音声信号を電気信号に変換するマイクロホンユニット９と、回路基板２と、光源搭載基板３と、保持部材４と、導光部材５とが収容されている。また、マイクロホンケース１は、マイクロホンユニット９の前方に設けられている前方開口部１１と、マイクロホンユニット９の後方に設けられている後方開口部１２とを備える。
【００１４】
図３に示すように、マイクロホンユニット９は、マイクロホンケース１内において前方寄り、つまり前方開口部１１の付近に設けられている。マイクロホンユニット９は、前方開口部１１と後方開口部１２を経て外部から入る音波により振動する振動板１１１と、振動板１１１とともにコンデンサを構成する固定極１１２とを備えている。また、マイクロホンユニット９は、振動板１１１と固定極１１２を保持する絶縁ホルダー１１３と、振動板１１１と固定極１１２などを保持するユニットケース１１５とを備えている。
【００１５】
回路基板２は、マイクロホンケース１内において、マイクロホンユニット９より後方寄りに設けられている。回路基板２は、例えば一般的な平板状のプリント基板である。回路基板２には、例えばインピーダンス変換器としてのＦＥＴ（Field Effect Transistor）、増幅回路、ローカット回路など、マイクロホン１０の動作に用いられる各種回路を構成する電子部品が実装されている。
【００１６】
●光源搭載基板の構成
光源搭載基板３は、マイクロホンケース１の内部に収容されている。光源搭載基板３に搭載されている光源３１は、マイクロホンケース１の内部で他端方向を向いて収容されている。光源搭載基板３は例えば一般的な平板状のプリント基板であり、その平面形状はマイクロホンケース１の内部形状に対応して円板状である。光源３１には、例えばＬＥＤ（Light Emitting Diode）のような小型で消費電力が少ないものが望ましい。光源３１の消費電力は、例えばマイクロホン１０のファントム電源により駆動できる程度である。
【００１７】
●導光部材の構成（１）
導光部材５は、光源３１からの光を取り込んでマイクロホンケース１の外側方向に導光する部材である。導光部材５は、その全体が乳白色のＰＭＭＡ（Poly Methyl Methacrylate：ポリメチルメタクリレート樹脂）などの光透過性の材料で形成されている。なお、導光部材５は、光透過性の材料であれば、乳白色以外の色や透明なものであってもよい。
【００１８】
図４に示すように、導光部材５は、マイクロホンケース１の形状に対応した略円筒状の外形を有している。導光部材５は、導光部本体５１と、柱状部５２と、入射面５３と、出射面５４とを有する。図５と図６に示すように、導光部材５は、反射面５５と孔５６を有する。
【００１９】
導光部本体５１は、導光部材５の全体形状を定めている。導光部本体５１は、入射面５３から入射して柱状部５２を通過した光源３１からの光を反射面５５に導いている。柱状部５２は、導光部本体５１から突出した突起形状を有している。柱状部５２は、光源３１の発光面の大きさに対応した光源３１からの光を導光部本体５１に導く、光ファイバのような導光路として機能する。入射面５３は、柱状部５２に設けられている。入射面５３は、光源３１の発光面に平行またはほぼ平行な面であり、光源３１からの光を効率よく入射させる。
【００２０】
反射面５５は、導光部材５がマイクロホンケース１に取り付けられている状態において、入射面５３の反対側、つまり後方寄りに位置する。反射面５５は、例えば導光部本体５１とともに一体成型されている全反射面である。反射面５５は、導光部材５の中心の孔５６が後端に向かって連続的に広がる略円錐形状である。反射面５５が略円錐形状であることにより、光が出射面５４の全周にわたって反射される。そのため、マイクロホン１０では、出射面５４がリング状に発光して見える。反射面５５には、反射する光を拡散させるため、表面にシボ加工やブラスト加工などが施されていてもよい。反射面５５は、導光部本体５１に入射した光を反射して、光の進行方向をマイクロホンケース１の側面方向に変える。言い換えると、反射面５５は入射した光を導光部材５の中心から半径方向外側に放出するように誘導する。
【００２１】
孔５６は、導光部材５がマイクロホンケース１に取り付けられている状態において、ボディ６の円筒部６２に近接する。
【００２２】
出射面５４は、導光部材５においてマイクロホンケース１の側面向きに設けられていて、反射面５５からの光を出射する。出射面５４には、出射する光を拡散させ視認角度を広げるため、表面にシボ加工やブラスト加工などが施されていてもよい。
【００２３】
●保持部材の構成
図７に示すように、保持部材４は、光源３１の発光面の位置を保持する光源保持部４１と、導光部材５の入射面５３の位置を保持する導光部材保持部４２とを備える。保持部材４は、光源保持部４１により保持される光源搭載基板３とともにマイクロホンケース１の内部に固定される。このため、保持部材４の外径は、マイクロホンケース１の内径より小さい。
【００２４】
図８と図９に示すように、光源保持部４１の内側には、光源搭載基板３を収容することができるような孔形状の光源搭載基板収容部４３が形成される。また、導光部材保持部４２の内側には、導光部材５の柱状部５２を受容可能な孔形状の柱状部受容部４４が形成される。光源搭載基板収容部４３と柱状部受容部４４により、光源搭載基板３の光源３１と導光部材５の入射面５３とが近接して配置される。つまり、保持部材４により光源３１からの光が入射面５３に効率よく入射するため、マイクロホン１０では光の利用効率が向上する。
【００２５】
また、柱状部５２は、柱状部受容部４４と嵌合する。柱状部５２と柱状部受容部４４とが嵌合することで、光源３１と入射面５３とは、互いの位置を固定しやすくなる。また、柱状部５２と柱状部受容部４４とが嵌合することで、発光部の組み立ては容易になる。
【００２６】
また、保持部材４は、導光部材保持部４２の内側の導光部材保持部４２よりも中央寄りの位置に、ボディ６を固定するための雌ねじ部４５を有している。雌ねじ部４５とボディ６との固定構造については後述する。また、保持部材４は、導光部材保持部４２の内側に、光源搭載基板３を保持部材４に固定するためのねじを通すねじ孔４６を有している。
【００２７】
●ボディの構成
図１と図２に示すように、ボディ６は、マイクロホンケース１とフレキシブルパイプ７に接続する。ボディ６は、マイクロホンケース１の他端側に取り付けられて他端側の開放端とその周辺の導光部材５などをカバーする。ボディ６は、保持部材４に固定されてマイクロホンケース１に取り付けられる。
【００２８】
図１０に示すように、ボディ６は、略円錐形状を有するボディ本体６１と、略円筒形状の円筒部６２と、円筒部６２の先端に設けられている雄ねじ部６３と、ボディ本体６１と円筒部６２との境界部分の壁部６４とを有している。雄ねじ部６３は、先に説明した保持部材４の雌ねじ部４５に螺合する。このため、雄ねじ部６３が雌ねじ部４５に螺合されることで、ボディ６と保持部材４とが締着する。
【００２９】
図１１に示すように、ボディ６は、フレキシブルパイプ７と接合するためのフレキシブルパイプ接合孔６５を有している。また、ボディ６は、雄ねじ部６３から反対側の端部まで貫通する貫通孔６６を有する。貫通孔６６には、マイクロホンユニット９への各種ケーブルが配される。
【００３０】
●フレキシブルパイプとベースの構成
図２に示すように、マイクロホン１０は、ボディ６に組み付けられてマイクロホンケース１を支持するフレキシブルパイプ７を有する。フレキシブルパイプ７は、中空の円筒状である。フレキシブルパイプ７は、断面形状が円形の鋼線等をコイルバネ状にした第１線材と、第１線材の隙間に挟み込まれ断面形状が三角形の真鍮線等をコイルバネ状にした第２線材とにより構成される。フレキシブルパイプ７は、ともに塑性変形可能な第１線材と第２線材との間に生じる摩擦によって、管状の基本的な形状を保持しつつ自在に屈曲可能である。
【００３１】
マイクロホン１０は、フレキシブルパイプ７と接合してマイクロホンケース１を支持するベース８を有する。図２に示すように、ベース８の内部には、マイクロホン１０を他の機器に対して電気的に接続するためのコネクタ８１が設けられている。
【００３２】
●発光部の構成
以上説明した光源搭載基板３と光源３１と保持部材４と導光部材５とボディ６とにより構成される、マイクロホン１０の発光部の構成と作用について説明する。
【００３３】
保持部材４は、光源搭載基板３に搭載されている光源３１の発光面と導光部材５の入射面５３とを近接した状態で固定している。保持部材４は、導光部材５の柱状部５２を受容可能な柱状部受容部４４を有している。このような保持部材４の構成により、光源３１からの光は、効率よく導光部材５に入射する。つまり、マイクロホン１０が保持部材４を有することで、光の利用効率が向上する。したがって、少ない消費電力の光源３１が用いられた構成であっても、本実施の形態のマイクロホンによれば導光部材５を明るく光らせることができる。
【００３４】
導光部材５は、上述のように、光源３１からの光を効率よく取り込む入射面５３と光源３１からの光を全反射する反射面５５と光を効率よく出射する出射面５４とを有する。このため、マイクロホン１０では、少ない消費電力の光源３１を用いられても、光の利用効率が高く、導光部材５を明るく光らせることができる。また、反射面５５と出射面５４には、シボ加工などの光の拡散性を高める加工が施されているため、出射面５４からの光がより広い角度に拡散する。
【００３５】
以上説明したように、本実施の形態に係るマイクロホン１０によれば、動作状態を視認しやすいという優れた効果を奏する。
【００３６】
また、保持部材４が雌ねじ部４５を有していることにより、ボディ６の雄ねじ部６３と締着できるため、マイクロホンケース１とボディ６の固定が容易になる。
【００３７】
ボディ６の円筒部６２の形状は導光部材５の反射面５５の内側の孔５６と対応しているため、円筒部６２により導光部材５の位置を保持することができる。
【００３８】
●導光部材の構成（２）
図１２と図１３に示すように、マイクロホン１０において、導光部材５０は、第１導光部材５Ａと、第２導光部材５Ｂとの２つの部材に分けて構成されてもよい。第１導光部材５Ａは、導光部本体５１と柱状部５２と入射面５３と反射面５５と孔５６と中間出射面５７を有する。第２導光部材５Ｂは、出射面５４と中間入射面５８を有する。導光部材５０において、第１導光部材５Ａの入射面５３に入射した光は、柱状部５２と導光部本体５１を経て反射面５５で反射されて中間出射面５７から出射する。中間出射面５７から出射した光は、第２導光部材５Ｂの中間入射面５８を経て出射面５４から外部に出射する。
【符号の説明】
【００３９】
１      ：マイクロホンケース
２      ：回路基板
３      ：光源搭載基板
４      ：保持部材
５      ：導光部材
５Ａ    ：第１導光部材
５Ｂ    ：第２導光部材
６      ：ボディ
７      ：フレキシブルパイプ
８      ：ベース
９      ：マイクロホンユニット
１０    ：マイクロホン
１１    ：前方開口部
１２    ：後方開口部
３１    ：光源
４１    ：光源保持部
４２    ：導光部材保持部
４３    ：光源搭載基板収容部
４４    ：柱状部受容部
４５    ：雌ねじ部
４６    ：ネジ孔
５０    ：導光部材
５１    ：導光部本体
５２    ：柱状部
５３    ：入射面
５４    ：出射面
５５    ：反射面
５６    ：孔
５７    ：中間出射面
５８    ：中間入射面
６１    ：ボディ本体
６２    ：円筒部
６３    ：雄ねじ部
６４    ：壁部
６５    ：フレキシブルパイプ接合孔
６６    ：貫通孔
８１    ：コネクタ
【図１】
0006596690.tif 000002
【図２】
0006596690.tif 000003
【図３】
0006596690.tif 000004
【図４】
0006596690.tif 000005
【図５】
0006596690.tif 000006
【図６】
0006596690.tif 000007
【図７】
0006596690.tif 000008
【図８】
0006596690.tif 000009
【図９】
0006596690.tif 000010
【図１０】
0006596690.tif 000011
【図１１】
0006596690.tif 000012
【図１２】
0006596690.tif 000013
【図１３】
0006596690.tif 000014
【図１４】
0006596690.tif 000015